(57)【要約】      （修正有）【課題】装飾性に優れ、外観品質が高く、且つ載置場所を常に認知し易い携帯電話機電話収納具を提供する。【解決手段】携帯電話機を収納しうる携帯電話機収納具１０であって、携帯電話機１１を収納する収納部１２と、上記収納部に取り付けられた装飾部１３とからなり、上記装飾部には、揺動を検知して発光しうる発光装置１４を備えた構成とする。【選択図】図１
0003156043.tif 000002
【実用新案登録請求の範囲】
【請求項１】
携帯電話機を収納しうる携帯電話機収納具であって、
携帯電話機を収納する収納部と、
上記収納部に取り付けられた装飾部とからなり、
上記装飾部には、揺動を検知して発光しうる発光装置を備えること特徴とする携帯電話機収納具。
【請求項２】
上記収納部は、布製の袋体から形成され、
上記発光装置は、上記装飾部に着脱可能に取り付けられていることを特徴とする請求項１記載の携帯電話機収納具。
【請求項３】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする請求項１又は２記載の携帯電話機収納具。
【請求項４】
上記発光装置は、複数の発光ダイオードを備えると共に、上記複数の発光ダイオードの発光タイミングを調整しうる発光制御部を備えることを特徴とする請求項３記載の携帯電話機収納具。
【考案の詳細な説明】
【技術分野】
【０００１】
本考案は、携帯電話機を収納しうると共に、装飾性を有する携帯電話機収納具に関する。
【背景技術】
【０００２】
室内等において携帯電話機をそのまま載置して保管した場合、紛失し易く、また着信時のバイブレーションによる振動によって、載置場所から落下して破損してしまう虞があった。
【０００３】
また、専用の充電用ホルダーに携帯電話機を差込むことによって載置する場合は、上記事態を回避できるものの、一般的な充電用ホルダーは機能性のみを考慮して設計されていることから、載置した場合の装飾性にかけると共に、充電ホルダーに携帯電話機を差込状態のままにした場合、携帯電話機の電池寿命が短くなるという不具合を有していた。
【０００４】
上記不具合を解決するため、図４に示すように、ぬいぐるみ４２の背中部に携帯電話機４５を差し入れて収納しうるカバー部４１を有し、上記ぬいぐるみ４２の首部分４３に、着信にる電波をアンテナ４４で検知することより光る発光体４６を取り付けた携帯電話機収納具４０が提案されている（特許文献１）。
上記特許文献１に係る携帯電話機収納具４０によれば、一般的な充電用ホルダーと比較して、装飾性に優れているという利点を有している。
しかしながら、上記特許文献１にかかる上記携帯電話機電話収納具４０の発光体４６は、上記携帯電話機４５の着信時の電波を検知して発光することから、上記発光体４６は、単に着信通知手段としての機能しか機能しない。
従って、携帯電話機４５に着信がない場合には全く発光せず、装飾効果は限定的であると共に、着信が長時間ない場合は、携帯電話機４５の載置場所を忘れてしまい、発信操作を行う場合等に、載置場所を探す必要が生じるという不具合を有していた。
【特許文献１】実登３０７３１３８号
【考案の開示】
【考案が解決しようとする課題】
【０００５】
本考案の課題は、装飾性に優れ、外観品質が高く、且つ載置場所を常に認知し易い携帯電話機電話収納具を提供することにある。
【課題を解決するための手段】
【０００６】
上記課題を解決するために、請求項１の考案にかかる携帯電話機収納具は、携帯電話機を収納しうる携帯電話機収納具であって、携帯電話機を収納する収納部と、上記収納部に取り付けられた装飾部とからなり、上記装飾部は、揺動を検知して発光しうる発光装置を備えること特徴とする。
【０００７】
従って、上記発光装置は、着信時のバイブレーションによる揺動のほか、近傍を歩行することによる振動、微弱な地震、風等による揺動を検知して発光する。
【０００８】
また、請求項２の考案に係る携帯電話機収納具は、上記収納部は、布製の袋体から形成され、上記発光装置は、上記装飾部に着脱可能に取り付けられていることを特徴とする。
【０００９】
従って、携帯電話機を上記袋体に差し入れて載置しうると共に、携帯電話機を載置しない場合には、上記発光装置を取り外すことができる。
【００１０】
また、請求項３の考案に係る携帯電話機電話収納具は、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする。
【００１１】
従って、上記発光装置を上記携帯電話機収納具とは独立した別体の部品とすることが可能であり、一般的な携帯電話機収納具に、後付けで取り付けることが可能となる。
また、上記ケース部に発光回路部が封入されていることから、湿気等によって発光回路部が損傷することがない。
また、上記スイッチ部によって、上記発光装置の配置方向が速やかに検知され、上記発光装置を取り外すことなく、上記発光回路部の発光有無の状態を切り替えることができる。
【００１２】
また、請求項４の考案に係る携帯電話機は、上記発光装置は、複数の発光ダイオードを備えると共に、上記複数の発光ダイオードの発光タイミングを調整しうる発光制御部を備えることを特徴とする。
従って、振動に連動しつつ、上記複数の発光ダイオードが断続的に発光する。
【考案の効果】
【００１３】
請求項１の考案にあっては、携帯電話機を収納しうる携帯電話機収納具であって、携帯電話機を収納する収納部と、上記収納部に取り付けられた装飾部とからなり、上記装飾部は、揺動を検知して発光しうる発光装置を備えることから、着信時に限定されず、微小な揺動を検知して不規則に発光するため、装飾性に優れ、外観品質が高く、且つ載置場所を常に認知し易い携帯電話機電話収納具を提供することができる。
【００１４】
また、請求項２の考案にあっては、請求項１の効果に加え、上記収納部は、布製の袋体から形成され、上記発光装置は、上記装飾部に着脱可能に取り付けられていることから、軽量で持ち運びが容易であると共に、不要時には発光装置を取り外すことが可能であるため、発光装置の電池消耗を少なくすることができる。
【００１５】
また、請求項３の考案にあっては、請求項１の効果に加え、上記発光装置が、装飾具とは独立した別体の部品として供給されるため、一般的な携帯電話機収納具に後付けで取り付けることが可能となり、製造コストをより低減することが可能である。
また、上記ケース部によって湿気等から内部の発光回路部が保護されるため、上記発光装置の耐久性がより向上する
【００１６】
また、請求項４の考案にあっては、上記発光装置は、複数の発光ダイオードを備えると共に、上記複数の発光ダイオードの発光タイミングを調整しうる発光制御部を備えることから、請求項３の効果に加え、上記発光装置の発光パターンがより複雑となり、視覚的インパクトが高くなるため、装飾性が高く、外観品質が向上する。
【図面の簡単な説明】
【００１７】
【図１】本考案の一実施の形態を示し、実施の形態において、発光装置を装着した状態を示す携帯電話機電話収納具の全体斜視図である。
【図２】本考案の一実施の形態を示し、実施例の形態の携帯電話機収納具に取り付けられた発光装置の（ａ）は正面図、（ｂ）は側面図、（ｃ）は背面図である。
【図３】本考案の一実施の形態を示し、実施例の形態の携帯電話機収納具に取り付けられた発光装置の回路配置例を示し、（ａ）は配置方向検知手段のスイッチ部がオンの状態、（ｂ）配置方向検知手段のスイッチ部がオフの状態を示す概略図である。
【図４】従来の携帯電話機収納具を示す側面図である。
【考案を実施するための最良の形態】
【００１８】
以下図面を用いて本考案の実施の形態について説明する。
図１に示すように、本実施例に係る携帯電話機収納具１０は、携帯電話機１１を収納する収納部１２と、上記収納部に取り付けられた装飾部１３とからなり、上記装飾部１３は、揺動を検知して発光しうる発光装置１４を備えている。
また、上記収納部１２は、布製の袋体１５から形成され、上記発光装置１４は、上記装飾部１３の内部に着脱可能に取り付けられている。
また、図２に示すように、上記発光装置１４は、合成樹脂からなる薄板片のケース部１６と、上記ケース部１６に封入された発光回路部１７とから形成され、上記発光回路部１７は、電池１８と、上記電池１８から電源供給を受けることによって発光しうる３つの発光ダイオード１９、１９、１９と、外部から加えられた揺動を検知しうる揺動検知センサー２０と、上記発光装置１４の配置方向を検知しうる配置方向検知手段２１と、上記３つの発光ダイオード１９の発光タイミングを調整しうる発光制御部２２とを備えている。
また、図３に示すように、上記配置方向検知手段２１は、上記発光装置１４が所定の方向に配置された場合には、上記発光回路部１７を通電可能な状態に保持すると共に、上記発光装置１４が所定方向以外に配置された場合には上記発光回路部１７を遮断状態に保持しうるスイッチ部２４を有している。
【実施例１】
【００１９】
以下に、本考案の実施例の構成について図面を用いて詳述する。
図１は、本実施例に係る携帯電話機収納具１０の全体斜視図である。
図１に示すように、本実施例に係る携帯電話機収納具１０の収納部１２は、綿等の柔軟部材を布材で被覆したクッション材２７で形成された袋体１５である。
本実施例においては上記袋体１５を略直方体に形成し、上面部１５ａに上記袋体１５の開口部１５ｂが設けられた構成としているが、携帯電話機１１を収納しうる寸法が確保されていれば、上記袋体１５の外形は、いかなる形状であっても良い。
また、上記袋体１５の表面には動物の形状を模った装飾部１３が取り付けられて、上記発光装置１４は上記装飾部の内部に埋め込み状態で取り付けられている。
なお、上記発光装置１４の取り付け方法については、上記装飾部１３に所定の大きさのポケット部を設けて収納する方法等が考えられるが、上記発光装置１４が上記装飾部１３から着脱可能であれば、内部に埋設する必要は無く、表面に貼付する形態でも、本実施例の作用及び効果は何ら変化しない。
また、上記装飾部１３の形状についても何らの限定もする必要は無い。
【００２０】
また、図２（ａ）は発光装置１４の正面図、（ｂ）は側面図、（ｃ）背面図である。
図２（ａ）に示すように、上記発光装置１４のケース部１６は、縦２３ｍｍ×横１７ｍｍ×厚さ５ｍｍの合成樹脂製の小型板片に形成されている。
また、電池１８はボタン電池であり、図２（ｂ）に示すように３つの発光ダイオード１９、１９、１９及び、振動検知センサー２０は基板２３上に配設されている。
また、図２（ｃ）に示すように、上記発光装置１４において、上記基板２３及び上記電池１８は上記ケース部１６の内部に密閉されており、その結果、上記発光装置１４は防水機能及び耐熱機能を供えている。
また、図３は、上記発光回路部１７の構成例を示す概略図である。
図３(ａ)に示すように、上記揺動センサー２０は、有底円筒形の固定接点部２０ａと、上記固定接点部２０ａの内部に挿入されたコイルバネからなる可動接点部２０ｂとから形成されている。
上記発光装置１４を揺動させた場合、上記揺動に連動して、上記可動接点部２０ｂが矢印Ａの方向に揺動し、上記固定接点部２０ａに対し、当接と離間を繰り返す。
また、上記配置方向検知手段２１のスイッチ部２４は、接続線路２５の一部が遮断された遮断部２４ａと、図３（ａ）に示すように、上記発光装置１４が所定の方向に配置された場合にのみ、上記遮断部２４ａの両端を接続し、同図（ｂ）に示すように、上記所定方向以外に配置された場合には、上記遮断部２４ａの両端から離間して配置されるスイッチ片部２４ｂとから形成されている。
【００２１】
以下、本実施例の作用について添付図面を用いて説明する。
図２（ａ）に示すように上記発光装置１４のケース部１６の表面には、上記発光装置１４が発光しうる配置方向を示す案内矢印２６が印字されている。
すなわち、上記案内矢印２６の先端を上方に向けて上記発光装置１４を配置した場合、図３（ａ）に示すように上記配置方向検出手段２１のスイッチ部２４において、スイッチ片部２４ｂが接続線路２５の遮断部２４ａを接続するように配置される。
従って、上記の場合、上記揺動センサー２０において、可動接点部２０ａと固定接点部２０ｂとが当接することによって、発光ダイオード１９、１９、１９に通電され、上記発光ダイオード１９、１９、１９が発光する。
この際、上記発光制御部２２によって、上記発光ダイオード１９、１９、１９の発光タイミングに所定の遅延を生じさせる等によって、発光パターンが複雑になり、視覚的インパクトをより大きくすることができる。
また、図３（ａ）に示す、上記案内矢印２６の先端を下方に向けて上記発光装置１４を配置した場合は、図３（ｂ）に示すように、上記配置方向検出手段２１のスイッチ部２４において、スイッチ片部２４ｂが接続線路２５の遮断部２４ａと離間して配置される。
従って、上記の場合は、可動接点部２０ａと固定接点部２０ｂとが当接した場合であっても、上記遮断部２４ａ、２４ａによって回路が遮断されているため、上記発光ダイオード１９、１９、１９が発光することはない。
図２に示すように、上記発光装置１４は防水及び耐熱機能を有するため、室内の湿気等にさらされた場、飲料等がかかった場合であっても故障し難い。
更に非常に低コストで入手可能であることから、携帯電話機収納具１０の製造コストをより低減することが可能である。
本実施例にあっては、着信時のバイブレーションのみでなく、近傍を歩行した場合の揺動、微弱地震による揺動、風による揺動等の非常に微細な揺動をも捕らえることが可能であるため、載置した場合に不規則且つ断続的に発光を繰り返すことから、非常に装飾性に優れ、外観品質が高い携帯電話収納具を提供することが可能である。
【００２２】
なお、本実施例においては、取り付けられる上記発光装置の数は、必要に応じて適宜変更可能であり、本実施例に何ら制約されるわけではない。
また、収納部の素材についても、布製に限定する必要はなく、携帯電話機収納しうる寸法が確保可能であれば、特に制約はない。
【産業上の利用可能性】
【００２３】
本考案は携帯電話機電話収納具に関する。
【符号の説明】
【００２４】
１０  携帯電話機収納具
１１  携帯電話機
１２  収納部
１３  装飾部
１４  発光装置
１５  袋体
１５ａ袋体上面部
１５ｂ袋体開口部
１６  発光装置のケース部
１７  発光回路部
１８  電池
１９  発光装置の発光ダイオード
２０  振動検知センサー
２０ａ固定可動接点部
２０ｂ可動接点部
２１  配置方向検知手段
２２  発光制御部
２３  基板
２４  スイッチ部
２４ａ遮断部
２４ｂスイッチ片部
２５  接続線路
２６  案内矢印
２７  クッション材
４０  携帯電話機収納具
４１  カバー部
４２  ぬいぐるみ
４３  ぬいぐるみの首部分
４４  アンテナ
４５  携帯電話機
４６  発光体
【図１】
0003156043.tif 000003
【図２】
0003156043.tif 000004
【図３】
0003156043.tif 000005
【図４】
0003156043.tif 000006